(57)【要約】【課題】鼻パッドを眼鏡がもっともずり落ちにくい場所に当てることのできるとともに、眼鏡を正しい調整位置に保持することができる眼鏡を提供する。また、従来品の眼鏡を、その鼻パッドを本発明に係る眼鏡保持具と交換するだけで、手持ちの眼鏡をずり落ちにくい眼鏡に変える事のできる眼鏡保持具を提供する。【解決手段】２個のレンズの両方或は２個のレンズの枠の両方に連結され、鼻の峰部における傾斜個所に接触する鼻パッドを具備してなることを特徴とする眼鏡として構成されている。この構成にかかる眼鏡においては、連結パッド部が、鼻の傾斜角度がもっとも緩い鼻の峰部における傾斜個所に接触するので、眼鏡の重さを確実に支持することができ、眼鏡のずり落ちを防止することができる。【選択図】　図１
2004077809.tif 000002
【特許請求の範囲】
【請求項１】
２個のレンズの両方或は２個のレンズの枠の両方に連結され、鼻の峰部における傾斜個所に接触する鼻パッドを具備してなることを特徴とする眼鏡。
【請求項２】
２個のレンズの両方或は２個のレンズの枠の両方を連結する強度部材としての連結部材を更に備えてなる請求項１記載の眼鏡。
【請求項３】
２個のレンズの両方或は２個のレンズ枠の両方に連結され、鼻の峰部における傾斜個所に接触する鼻パッドを備えた眼鏡保持具。
【発明の詳細な説明】
【０００１】
【発明の属する技術分野】
本発明は、眼鏡及び眼鏡保持具に係り、特にずり落ちにくい眼鏡、或は眼鏡をずり落ちにくくさせることのできる眼鏡保持具に関するものである。
【０００２】
【従来の技術及びその問題点】
従来の典型的な眼鏡が、図５或は図６に示される。
図５に示した眼鏡Ｌ１はもっとも一般的なもので、２個のレンズ１、１がそれぞれのレンズ枠２、２に固定され、上記レンズ枠２、２の両方を強度部材である連結部３により連結したものである。この場合、眼鏡Ｌ１の重さを鼻で受けるための柔軟なプラスティックなどで構成される鼻パッド４、４は、上記レンズ枠１、１の内側部に固定された支持部材５、５の先端にそれぞれ取り付けられている。
図６は、上記レンズ枠２、２が無いフレームなし眼鏡Ｌ２を示す。この場合には、眼鏡の蔓部６、６及びレンズを連結する連結部３は、ビス止め或は接着などによりレンズ１、１自身に固定されている。その他の構成は，図５の場合と同様である。
上記図５及び図６のいずれの場合も、図４に示す様に鼻パッド４は、人間の鼻Ｎの側面傾斜部に４ａに当てられ、それによって眼鏡Ｌ１の重量は、鼻パッド４を介して鼻Ｎの側面傾斜部４ａで受けられる。
また図７は、別の眼鏡Ｌ３の公知例である。この例ではレンズ枠２、２の両方に連結する連結部３ａそれ自身、或はその近傍にレンズ枠２、２を連結する支持部材５ａが設けられており、この連結部３ａ或は支持部材５ａに鼻パッド４ａが設けられている。
従ってこの図７に示した従来例では、図４に示す様に上記鼻パッド４ａは、人間の鼻Ｎの峰部Ｎ１の垂直部Ｎ２に当てられる。
ところで上記図５或は図６に示した公知の眼鏡１及びＬ２では、眼鏡Ｌ１をかけた状態で、鼻パッド４が鼻Ｎの側面傾斜部４ａに当てられるが、人の鼻Ｎの側面傾斜部４ａの傾斜角度は急であるので、眼鏡Ｌ１或はＬ２の重さに耐えかねて、眼鏡Ｌ１、Ｌ２がずり落ちるという問題がある。
また図７に示した眼鏡Ｌ３では、鼻パッド４ａが、鼻の峰部Ｎ１の更に急峻な垂直部Ｎ２に当てられる結果、眼鏡Ｌ３のずり落ちが眼鏡Ｌ１、Ｌ２より激しく、正確な視力が得られる正しい位置に眼鏡Ｌ３を保持することが出来ないという問題がある。
また、従来の上記図５や図６に示した従来の眼鏡Ｌ１、Ｌ２を既に持っている人にとっては、その従来の眼鏡の鼻パッドの部分だけを取り替えることで、ずり落ちにくい眼鏡に手持ちの眼鏡を変えることができれば、経済的である。
そのため本発明は、眼鏡がもっともずり落ちにくい場所に鼻パッドを当てることのできる眼鏡、及び図５や図６に示したような眼鏡を既に持っている人もその手持ちの眼鏡をずり落ちにくい眼鏡に簡単に替える事のできる眼鏡保持具を提供することを目的とするものである。
【０００３】
【課題を解決するための手段】
本発明は、２個のレンズの両方或は２個のレンズの枠の両方に連結され、鼻の峰部における傾斜個所に接触する鼻パッドを具備してなることを特徴とする眼鏡として構成されている。この構成にかかる眼鏡においては、連結パッド部が、鼻の傾斜角度がもっとも緩い鼻の峰部における傾斜個所に接触するので、眼鏡の重さを確実に支持することができ、眼鏡のずり落ちを防止することができる。
また、このような眼鏡が、更に２個のレンズの両方或は２個のレンズの枠の両方を連結する強度部材としての連結部材を備えている場合には、ずり落ちが少ないばかりでなく、強度的にも優れた眼鏡を提供することが出来る。
また、２個のレンズの両方或は２個のレンズ枠の両方に連結され、鼻の峰部における傾斜個所に接触する鼻パッドを備えた眼鏡保持具においては、手持ちの眼鏡の鼻パッドを外して、その替わりに既存の眼鏡の支持部材にずり落ちにくい位置に当接する鼻パッドを取り付けることができるので、手持ちの眼鏡を用いることが出来て経済的である。
【０００４】
【発明の実施の形態】
続いて添付図面を参照して本発明を具体化した実施形態について説明し、本発明の理解に供する。
ここに図１は、本発明の一実施形能に係る眼鏡の全体図、図２は、図１に示した眼鏡の要部を示す図、図３は、一実施例に係る眼鏡の全体図、図４は、眼鏡の使用状態を示す側面図である。
続いて、上記図面を参照しつつ、好ましい実施形態に付いて説明し、本発明の理解に供する。
この実施形態にかかる眼鏡Ｌａは、図１に示す様に、従来の眼鏡Ｌ１と同様、レンズ１，１、レンズ枠２，２、該レンズ枠２，２を連結する強度部材としての連結部３、支持部材５，５及び蔓６，６を具備している。
この実施形態にかかる眼鏡Ｌａにおいて特徴的構成は、図２に示すように、上記両方の支持部材５，５が、この支持部材５，５に両端がねじＢにより止めされた鼻パッド支持部材７により連結され、この鼻パッド支持部材７に、鼻パッド８が一体に取り付けられていることである。
即ち、上記鼻パッド支持部材７とこれに取り付けられた鼻パッド８は、眼鏡Ｌａとは独立した商品として販売することが出来、従来の眼鏡Ｌ１，Ｌ２を持っている人は、鼻パッド４を支持部材５からねじＢを緩めることにより取り外し、替わりに上記鼻パッド支持部材７と鼻パッド８からなる眼鏡保持具９を手持ちの眼鏡の支持部材５，５にねじ止めすることで新たな眼鏡Ｌａとする事ができるものである。
【０００５】
このような構成では、上記鼻パッド８鼻への当接個所は、図４に示す様に、鼻Ｎの側面傾斜部４ａではなく、鼻Ｎの峰部Ｎ１の傾斜部４ｂになる。
人の鼻の峰部Ｎ１の傾斜部４ｂにおける傾斜角度は、一般に垂直部Ｎ２より緩いのはもちろん、側面傾斜部４ａよりも緩いので、そこに当接した鼻パッド８は非常にずり落ちにくく、眼鏡の正しい調整位置で眼鏡を保持することができる。
【０００６】
【実施例】
上の実施形態では、連結部３を具備する眼鏡を対象にしているが、本発明においてはこれに限定されること無く、図３に示すような、連結部３のない眼鏡にも適用可能である。この場合、上記鼻パッド支持部材７は、その両端がレンズ枠２，２に溶接などにより固着されており、実質的に２個のレンズを繋ぐ強度部材として働くことになる。このように鼻パッド支持部材７を強度部材として用い、連結部材３を省略する場合は、鼻パッド支持部材７は必須の構成となる。しかし、図１に示したような強度部材としての連結部材３を持つ場合は、鼻パッド支持部材７は必ずしも必須でなく、支持部材５、５を連結するやわらかいプラスチック素材などからなる鼻パッド８のみでもよい。
このように連結部３を省略することで、デザイン的に優れたずり落ち防止つき眼鏡が製造される。
また、当然ながら本発明は、レンズ枠の無いフレームなし眼鏡にも適用可能である。この場合、図６のめがねＬ２において、鼻パッド４，４の替わりに、図２に示した上記鼻パッド支持部材７と鼻パッド８の結合した眼鏡保持具９、或は鼻パッド支持部材７を省略した鼻パッド８の両端が支持部材５，５に取り付けられる。
【０００７】
【発明の効果】
本発明に係る眼鏡においては以上述べた如く、鼻パッドを眼鏡がもっともずり落ちにくい場所に当てることのでき、眼鏡を正しい調整位置に保持することができる。また、本発明に係る眼鏡保持具では、従来品の眼鏡を、その鼻パッドを本発明に係る眼鏡保持具と交換するだけで、手持ちの眼鏡をずり落ちにくい眼鏡に変える事のできる眼鏡保持具を提供できる。
【図面の簡単な説明】
【図１】本発明の一実施形能に係る眼鏡の全体図。
【図２】図１の要部のみを拡大した図。
【図３】本発明の実施例に係る眼鏡の全体図。
【図４】本発明にかかる眼鏡及び従来の眼鏡における使用状態を示す側面図。
【図５】従来の眼鏡の全体図。
【図６】従来の眼鏡の全体図。
【図７】従来の眼鏡の全体図。
【符号の説明】
Ｌａ、Ｌ１、Ｌ１、Ｌ３…眼鏡
１…レンズ
２…レンズ枠
３…連結部
４…鼻パッド
５…支持部材
６…蔓
７…鼻パッド支持部材
８…鼻パッド
９…眼鏡保持具
Ｂ…鼻パッド
【図１】
2004077809.tif 000003
【図２】
2004077809.tif 000004
【図３】
2004077809.tif 000005
【図４】
2004077809.tif 000006
【図５】
2004077809.tif 000007
【図６】
2004077809.tif 000008
【図７】
2004077809.tif 000009